(57)【要約】【課題】錠前装置、特に自転車用の馬蹄形の錠前装置にあって、鍵の組合せ種類の数を飛躍的に増やすことを可能にした錠前装置の提供を図る。【解決手段】ケーシングと、閂片と、施錠状態を保つ係止部材と、この係止部材を動かすことにより解錠させる鍵片とを備える。係止部材収納部の上記の鍵片挿入穴付近に形成された凹陥部と、この凹陥部に対応して上記鍵片の下方向に設けられた下面凸部との組合せからなる第１の鍵組合せと、上部ケーシングー２０を上方に向けて形成された切り込み部２８と、この切り込み部２８に対応して鍵片１３の上方向に突出するように設けられた上面凸部３７との組合せからなる第２の鍵組合せと、係止部材収納部の内部に突出した突起と、この突起に対応して上記鍵片に設けられた凹み部との組合せからなる第３の鍵組合せとを備え、これらの鍵組合せが解錠可能状態となることにより、解錠される。【選択図】          図１
2010065457.tif 000002
【特許請求の範囲】
【請求項１】
ケーシングと、このケーシングに摺動可能に配位された閂片と、この閂片を係止することにより施錠状態を保つ係止部材と、この係止部材を動かすことにより解錠させる鍵片とを備え、上記ケーシングには上記係止部材を収納すると共に上記鍵片を挿入する鍵片挿入穴を有する係止部材収納部を備え、
この鍵片挿入穴から上記係止部材収納部内に挿入した上記鍵片を操作することにより、上記鍵片が上記係止部材を動かし、上記閂片と上記係止部材との係止を解除させることにより解錠状態となる錠前装置において、
第１と第２と第３との３つの鍵組合せを備え、
第１の鍵組合せ及び第２の鍵組合せは、上記係止部材収納部の上記の鍵片挿入穴付近に形成された凹陥部と、この凹陥部に対応して上記鍵片の上下方向に設けられた凸部との組合せであり、上記凹陥部と上記凸部との位置が一致することにより解錠可能状態とするものであり、
第３の鍵組合せは、上記係止部材収納部の内部に突出した突起と、この突起に対応して上記鍵片に設けられた凹み部との組合せであり、上記の第１の鍵組合せの一致により挿入が許可された鍵片について、上記突起と上記凹み部との位置が一致することにより解錠可能状態とするものであり、
これらの鍵組合せが解錠可能状態となることにより、解錠されるものであることを特徴とする錠前装置。
【請求項２】
上記第１及び第２の鍵組合せは、上記凹陥部と上記凸部との位置が一致することにより上記第３の鍵組合せが可能な位置まで鍵片を挿入することを許容するものであり、
上記第３の鍵組合せは、上記第１の鍵組合せの一致により挿入が許可された鍵片について、上記突起と上記凹み部との位置が一致することにより上記鍵片の係止解除への動きを許容することにより、解錠されるものであることを特徴とする請求項１記載の錠前装置。
【請求項３】
上記ケーシングは、下面側に自転車車体への取付金具が設けられる馬蹄形の下部ケーシングと、この馬蹄形の下部ケーシングの上面側に被せられる上部ケーシングとを備え、
上記第１の鍵組合の凹部は、上記下部ケーシングを上面側から下面側に凹ませて形成されたものであり、上記第１の鍵組合の凸部は、上記鍵片を上面側から下面側に突出させて形成され、この凸部の形成の有無又は凸部と凹部の位置を横方向に変更することにより、鍵組合せを変更するものであり、
上記第２の鍵組合の凹部は、上記上部ケーシングの鍵片挿入穴の周縁部分を、下方から上方に凹ませて形成されたものであり、上記第２の鍵組合の凸部は、上記鍵片を下面側から上面側に突出させて形成され、この凸部の形成の有無又は凸部と凹部の位置を横方向に変更することにより、鍵組合せを変更するものであり、
上記第３の鍵組合の突起は、上記下部ケーシングを下面側から上面側に突出させて形成されたものであり、上記第３の鍵組合の凹み部は、上記鍵片を横方向に凹ませることにより形成されたものであり、この突起及び凹み部の位置を前後方向に変更することにより鍵組合せを変更するものであることを特徴とする請求項２記載の錠前装置。
【請求項４】
上記第１の鍵組合の凹陥部は、上記鍵片の凸部を前後方向に移動することを許容する縦溝と、上記鍵片の凸部を横方向に移動することを許容する横溝とを備えることを特徴とする請求項３記載の錠前装置。
【発明の詳細な説明】
【技術分野】
【０００１】
本願発明は、錠前装置、特に、自転車用の馬蹄形に適する錠前装置に関するものである。
【背景技術】
【０００２】
従来、錠前装置、特に自転車用の馬蹄形に適する錠前装置に関しては、特許文献１に示すものが知られている。
【０００３】
この装置は、ケーシングと、このケーシングに摺動可能に配位された閂片と、この閂片を係止することにより施錠状態を保つ係止部材と、この係止部材を動かすことにより解錠させる鍵片とを備え、上記ケーシングには上記係止部材を収納すると共に上記鍵片を挿入する鍵片挿入穴を有する係止部材収納部を備え、この鍵片挿入穴から上記係止部材収納部内に挿入した上記鍵片を操作することにより、上記鍵片が上記係止部材を動かし、上記閂片と上記係止部材との係止を解除させることにより解錠状態となる馬蹄形の錠前装置であり、鍵組合せは、上記係止部材収納部の内部に突出した突起と、この突起に対応して上記鍵片に設けられた凹み部との組合せであり、上記突起と上記凹み部との位置が一致することにより解錠可能状態とするものであった。
【０００４】
このように、従来の自転車用錠前装置は、大きさや製造上の限界から、１種類の鍵組合せのみが用いられていたため、鍵の種類を増やすにも限界があった。
【０００５】
【特許文献１】実公平７−２２４５７号公報
【発明の開示】
【発明が解決しようとする課題】
【０００６】
本願発明の目的は、錠前装置、特に自転車用の馬蹄形の錠前装置にあって、鍵の組合せ種類の数を飛躍的に増やすことを可能にした錠前装置の提供を図ることにある。
【課題を解決するための手段】
【０００７】
本願の請求項１に係る発明は、ケーシングと、このケーシングに摺動可能に配位された閂片と、この閂片を係止することにより施錠状態を保つ係止部材と、この係止部材を動かすことにより解錠させる鍵片とを備え、上記ケーシングには上記係止部材を収納すると共に上記鍵片を挿入する鍵片挿入穴を有する係止部材収納部を備え、この鍵片挿入穴から上記係止部材収納部内に挿入した上記鍵片を操作することにより、上記鍵片が上記係止部材を動かし、上記閂片と上記係止部材との係止を解除させることにより解錠状態となる錠前装置において、第１と第３の鍵組合せを備え、第１の鍵組合せは、上記係止部材収納部の上記の鍵片挿入穴付近に形成された凹陥部と、この凹陥部に対応して上記鍵片の上下方向に設けられた凸部との組合せであり、上記凹陥部と上記凸部との位置が一致することにより解錠可能状態とするものであり、第３の鍵組合せは、上記係止部材収納部の内部に突出した突起と、この突起に対応して上記鍵片に設けられた凹み部との組合せであり、上記の第１の鍵組合せの一致により挿入が許可された鍵片について、上記突起と上記凹み部との位置が一致することにより解錠可能状態とするものであり、これらの第１と第３の鍵組合せの両者が解錠可能状態となることにより、解錠されるものであることを特徴とする錠前装置を提供する。
本願の請求項２に係る発明は、上記第１の鍵組合せは、上記凹陥部と上記凸部との位置が一致することにより上記第３の鍵組合せが可能な位置まで鍵片を挿入することを許容するものであり、上記第３の鍵組合せは、上記第１の鍵組合せの一致により挿入が許可された鍵片について、上記突起と上記凹み部との位置が一致することにより上記鍵片の係止解除への動きを許容することにより、解錠されるものであることを特徴とする請求項１記載の錠前装置を提供する。
本願の請求項３に係る発明は、上記ケーシングは、下面側に自転車車体への取付金具が設けられる馬蹄形の下部ケーシングと、この馬蹄形の下部ケーシングの上面側に被せられる上部ケーシングとを備え、上記第１の鍵組合の凹陥部は、上記下部ケーシングを上面側から下面側に凹ませて形成されたものであり、上記第１の鍵組合の凸部は、上記鍵片を上面側から下面側に突出させて形成され、この凸部及び凹陥部の位置を横方向に変更することにより鍵組合せを変更するものであり、上記第３の鍵組合の突起は、上記下部ケーシングを下面側から上面側に突出させて形成されたものであり、上記第３の鍵組合の凹み部は、上記鍵片を横方向に凹ませることにより形成されたものであり、この突起及び凹み部の位置を前後方向に変更することにより鍵組合せを変更するものであることを特徴とする請求項２記載の錠前装置を提供する。
本願の請求項４に係る発明は、上記第１の鍵組合の凹陥部は、上記鍵片の凸部を前後方向に移動することを許容する縦溝と、上記鍵片の凸部を横方向に移動することを許容する横溝とを備えることを特徴とする請求項３記載の錠前装置を提供する。
【発明の効果】
【０００８】
本願発明は、錠前装置、特に自転車用の馬蹄形の錠前装置にあって、鍵の組合せ種類の数を飛躍的に増やすことを可能にとしたものである。特に、請求項３及び４の発明にあっては、従来の一組のみを鍵組合せの場合と同様の生産管理によって、鍵の組合せ種類の数を飛躍的に増やすことが可能となったものである。
【発明を実施するための最良の形態】
【０００９】
以下、図面に基づき本願発明の実施の形態を説明する。
【００１０】
本願発明の実施の形態に係る馬蹄形の錠前装置１１は、図１に示すようにケーシング１２と、このケーシング１２内に配設される閂片１５と、閂片１５を施錠方向に回動するように付勢するバネ１６と、このバネ１６の付勢力に抗して閂片１５を解錠位置で係止する係止部材１４と、鍵片１３とから構成されている。
【００１１】
ケーシング１２は、略馬蹄形をなし、この実施例では、上部ケーシング２０（図３図示）と、下部ケーシング２１とからなり、これらによって内部に閂片１５等が収納できるようになされている。又、その内部は、右部の閂片収納部２２と、左部の係止部材収納部２３とからなるもので、閂片収納部２２及び係止部材収納部２３の下面は下部ケーシング２１によって構成され、閂片収納部２２及び係止部材収納部２３の上面は上部ケーシング２０によって構成されている。
【００１２】
閂片収納部２２は、リング状を呈し、閂片１５を収納する。又、閂片収納部２２の左部前方側には閂片出口用孔２４が、右部前方側には閂片入口用孔２５が夫々開口されている。
【００１３】
一方、係止部材収納部２３は、閂片収納部２２に連通するように形成され、係止部材１４を収納する。又、係止部材収納部２３の後方側には、鍵片１３を挿入するための鍵片挿入穴２６が形成されている。鍵片挿入穴２６から挿入された鍵片１３は、係止部材収納部２３の下面と係止部材１４との間に挿入される。この鍵片１３は、鍵片挿入穴２６に前方（図では下方）に向けて挿入された後、横方向に動かすことによって、解錠される。
【００１４】
詳しくは、係止部材収納部２３には軸２７が形成されており、この軸２７を受容する軸受け凹部３１が、鍵片１３に設けられており、軸２７が軸受け凹部３１の奥に当接して、先端方向への挿入が停止される。操作者が、挿入されていない鍵片１３の基端側を閂片収納部２２に近づく方向（図では右方向）に移動させることによって、鍵片１３が軸２７を中心に回動して、鍵片１３の先端側が閂片収納部２２から遠ざかる方向（図では左方向）に移動する。この移動によって、鍵片１３の作動部３２が係止部材１４の被作動部４１に当接し、係止部材１４が鍵片１３と共に移動して、閂片１５を係止していた係止部４２が外れて、閂片１５がバネ１６の力によって解錠位置まで回転して、錠が開く。
【００１５】
この鍵片１３を軸２７に当接する位置まで挿入することを許すのが第１鍵組合せと、第２鍵組合である。
第１鍵組合せは、係止部材収納部２３の鍵片挿入穴２６付近に形成された凹部（以下、凹陥部５１という）と、この凹陥部５１に対応して鍵片１３の下方向に突出するように設けられた下面凸部３３との組合せであり、凹陥部５１と下面凸部３３との位置が一致することにより、鍵片１３が軸２７に当接する位置まで移動することを許容する。
第２鍵組合せは、係止部材収納部２３の鍵片挿入穴２６の周縁（上縁）を構成する上部ケーシングー２０を上方に向けて形成された凹部（以下、切り込み部２８という）と、この切り込み部２８に対応して鍵片１３の上方向に突出するように設けられた上面凸部３７との組合せであり、切り込み部２８と上面凸部３７との位置が一致することにより、鍵片１３が軸２７に当接する位置まで移動することを許容する。
図では、第１鍵組合せの下面凸部３３及び凹陥部５１を、図５（Ｃ）と図６（Ａ）にを示し、第２鍵組合せの上面凸部３７及び切り込み部２８を、図５（Ｄ）と図６（Ｂ）に示したが、両者を一つの鍵片の表裏にそれぞれ設けるようにしてもよい。即ち、この下面凸部３３と、上面凸部３７は、一つの鍵片１３の上面側と下面側との両方を、厚み方向に突出させて設けるようにしてもよく、いずれか一方の面にのみ設けるようにしてもよい。一方の面にのみ設けて、他方の面には設けない場合には、他方の面については、全て解錠を許容するものとなる。言い換えれば、第１鍵組合せと第２鍵組合せとの一方の組合せについては、全開の組合せを選択したこととなる。
【００１６】
この下面凸部３３及び上面凸部３７は、鍵片１３の前後方向の中間位置に設けられている。詳しくは、鍵片１３に設けられ軸受け凹部３１と、人が操作するために基端に設けられた操作部３４との間に設けられている。下面凸部３３は、鍵片１３を上面側から下面側に突出させた点状の突起であり、上面凸部３７は、鍵片１３を下面側から上面側に突出させた点状の突起であり、それぞれの凸部を横方向（図の左右方向）に変更することにより鍵組合せを変更する。たとえば、１cm程度の横幅の鍵片１３であれば、４〜６個の位置を選択的に形成することができる。図２では、「３７（３３）」として、４個の位置を図示した。なお、実施に際しては、複数個設けることも不可能ではないが、通常は１個だけを設けて実施する。
【００１７】
第１の鍵組合せについて、さらに詳しく説明しておくと、下面凸部３３を受け入れるために形成された凹陥部５１は、図４（Ａ）及び（Ｂ）に示すように、係止部材収納部２３を構成する下部ケーシング２１の下面を、下方に凹ませて形成されたものであり、鍵片１３の下面凸部３３を前後方向に移動することを許容する第１溝部５２と、第１溝部５２から連続して設けられた第２溝部５３を備える。この第２溝部５３は、鍵片１３の下面凸部３３を横方向に移動することを許容するものである。鍵片１３が、先端方向（前方向）に挿入されて軸２７に軸受け凹部３１の奥が当接するまでは、下面凸部３３は第１溝部５２を下方に移動する。そして、鍵片１３の操作部３４を横方向に操作することによって、下面凸部３３は第２溝部５３を横方向に移動する。
これに対して第２の鍵組合せは、上記の上面凸部３７の左右方向の位置と、係止部材収納部２３の鍵片挿入穴２６の周縁（上縁）を構成する上部ケーシングー２０を上方に向けて形成された切り込み部２８の左右方向の位置とを横方向に複数箇所に選択的に設けることによって、鍵の組合せが決まる。なお、鍵片１３は、係止部材１４と下部ケーシングー２１との間に差し込まれるが、その際に、係止部材１４の後部（鍵片挿入穴２６に近い側）を上方に曲げて、鍵片１３に設けた上面凸部３７と係止部材１４との干渉を防止するようにすることも望ましい。なお、この例では、第２の鍵組合せとして、上部ケーシングー２０に切り込み部２８を設けたが、上部ケーシングー２０に関しては鍵組合せに関与させず、係止部材１４に上面凸部３７に対応する凹凸を設けて、第２の鍵組合せを構成するようにしてもよい。
【００１８】
上記の第１と第２の鍵組合せによって挿入が許可された鍵片１３を、横方向への移動させるか否かを決するのが、第３の鍵組合せである。この第３の鍵組合せは、係止部材収納部２３の内部に、下面から上方に突出した突起５４と、この突起５４に対応して鍵片１３に設けられた凹み部３５との組合せであり、突起５４と凹み部３５との位置が一致することにより、操作部３４を横方向に操作可能とする。これにより、人が鍵片１３を横方向（図では右方向）に操作すると、鍵片１３の先端側が閂片収納部２２から離れる方向（図では左方向）に移動し、係止部材１４を動かして前述のように閂片１５を解錠状態とする。
【００１９】
この例では、突起５４は、下部ケーシング２１を下面側から上方に突出させて形成されたものであり、鍵片１３の凹み部３５は、鍵片１３の前方延設部３６（軸受け凹部３１の奥よりも前方側の部分）を、横方向（幅方向）に切り込むなどして凹ませることにより形成されたものである。より詳しくは、鍵片挿入穴２６に鍵片１３が挿入された状態で、前方延設部３６は、凹陥部５１より閂片収納部２２に近い側（図では右側）に配位される。この鍵片１３には、凹み部３５が、閂片収納部２２に近づく方向（図では右方向）に形成される。そして、突起５４と凹み部３５との位置が一致することにより、前方延設部３６が閂片収納部２２から離れる方向（図では左方向）に移動して、前述の解錠状態を実現する。そして、この突起５４と凹み部３５の位置を前後方向に複数位置に変更して設けることにより、複数の鍵組合せ実現するものである。なお、図４（Ａ）及び図５（Ｂ）にあっては、突起５４と凹み部３５との変更可能な位置を、それぞれ複数個、図示している。
【００２０】
この例では、突起５４を下部ケーシング２１に設けることによって、第１の鍵組合せの凹陥部５１と第３の鍵組合せの突起５４とを、共に下部ケーシング２１に設けることが可能となる。よって、鍵組合せの製造上の管理としては、下部ケーシング２１と鍵片１３との組合せとの管理によって、２つの鍵組合せが同時に管理でき、これに、上部ケーシング２０の管理するだけで、足りることとなるため、従来の鍵組合せの管理と実質的に同様の管理をするだけで済むことになる。
【００２１】
この錠前の構造は、ケーシングに凹凸を形成したが、同様の構造のものを錠前部材としてケーシングとは別個に形成し、この錠前部材をケーシングに組み込むようにして実施してもよい。また自転車用錠以外の錠に適用することもできる。
以上、この錠前装置にあっては、第１の鍵組合せの組合せ数に、第３の鍵組合せの組合せ数を乗じた数が、鍵組合せの数となり、従来に比して飛躍的に鍵の組合せ数を増大させることができ、鍵の安全性を向上させることができたものである。
【図面の簡単な説明】
【００２２】
【図１】本願発明の実施の形態に係る錠前装置の上部ケーシングを外した平面図である。
【図２】同錠前装置の係止部材収納部と鍵片の要部拡大図である。
【図３】同錠前装置の係止部材収納部の縦断面図である。
【図４】（Ａ）は同錠前装置の係止部材収納部の要部拡大図であり、（Ｂ）は同Ｂ−Ｂ線切断端面図であり、（Ｃ）は同Ｃ−Ｃ線切断端面図である。
【図５】（Ａ）は同錠前装置の係止部材の平面図であり、（Ｂ）は鍵片の平面図であり、（Ｃ）は鍵片の側面図であり、（Ｄ）は他の例の鍵片の側面図である。
【図６】（Ａ）は同錠前装置の係止部材収納部の鍵片鍵片挿入穴を示す側面図であり、（Ｂ）は他の例の鍵片鍵片挿入穴を示す側面図である。
【符号の説明】
【００２３】
１１  錠前装置
１２  ケーシング
１３  鍵片
１４  係止部材
１５  閂片
１６  バネ
２０  上部ケーシング
２１  下部ケーシング
２２  閂片収納部
２３  係止部材収納部
２６  鍵片鍵片挿入穴
２８  切り込み部
３３  下面凸部
３４  操作部
３５  凹み部
３７  上面凸部
５１  凹陥部
５２  第１溝部
５３  第２溝部
５４  突起
【図１】
2010065457.tif 000003
【図２】
2010065457.tif 000004
【図３】
2010065457.tif 000005
【図４】
2010065457.tif 000006
【図５】
2010065457.tif 000007
【図６】
2010065457.tif 000008